(57)【要約】【課題】システム帯域幅が拡張される場合においても、移動局装置（ＵＥ）におけるブラインド検出に要する負荷の増大を回避しつつ、ＳＵ−ＭＩＭＯとＭＵ−ＭＩＭＯとを動的に切り替えること。【解決手段】ＳＵ−ＭＩＭＯ用のＤＣＩフォーマットとＭＵ−ＭＩＭＯ用のＤＣＩフォーマットとを識別する識別情報を選択するＤＣＩフォーマット選択部２０９と、識別情報を含み、同一のビット数を有するＳＵ−ＭＩＭＯ用又はＭＵ−ＭＩＭＯ用のＤＣＩフォーマットを含む制御信号を生成する制御信号生成部２１０と、制御信号を移動局装置に送信する送信手段とを具備することを特徴とする。【選択図】図１０
2011142454.tif 000002
【特許請求の範囲】
【請求項１】
ＳＵ−ＭＩＭＯ用のＤＣＩフォーマットとＭＵ−ＭＩＭＯ用のＤＣＩフォーマットとを識別する識別情報を選択する識別情報選択手段と、前記識別情報を含み、同一のビット数を有するＳＵ−ＭＩＭＯ用又はＭＵ−ＭＩＭＯ用のＤＣＩフォーマットを含む制御信号を生成する制御信号生成手段と、前記制御信号を移動局装置に送信する送信手段とを具備することを特徴とする基地局装置。
【請求項２】
前記制御信号生成手段は、前記識別情報をＤＣＩフィールドの一部に追加したことを特徴とする請求項１記載の基地局装置。
【請求項３】
前記制御信号生成手段は、前記識別情報でＤＣＩフィールドの一部をマスキングしたことを特徴とする請求項１記載の基地局装置。
【請求項４】
前記制御信号生成手段は、ＭＵ−ＭＩＭＯ用のＤＣＩフォーマットを含む制御信号を生成する際、通信対象となる移動局装置当たりのストリーム数及びコードワード数の少なくとも１つに対応するＤＣＩフィールドの情報を削減することを特徴とする請求項１から請求項３のいずれかに記載の基地局装置。
【請求項５】
前記制御信号生成手段は、通信対象となる移動局装置当たりの最大ストリーム数の上限値を２ストリームに制限し、当該移動局装置当たりのストリーム数に対応するＤＣＩフィールドの情報を削減することを特徴とする請求項４記載の基地局装置。
【請求項６】
前記制御信号生成手段は、通信対象となる移動局装置当たりの最大ストリーム数の上限値を１ストリームに制限し、当該移動局装置当たりのストリーム数に対応するＤＣＩフィールドの情報を削減することを特徴とする請求項４記載の基地局装置。
【請求項７】
前記制御信号生成手段は、通信対象となる移動局装置当たりの最大コードワードム数の上限値を１コードワードに制限し、当該移動局装置当たりのコードワード数に対応するＤＣＩフィールドの情報を削減することを特徴とする請求項４から請求項６のいずれかに記載の基地局装置。
【請求項８】
前記制御信号生成手段は、ＭＵ−ＭＩＭＯ用のＤＣＩフォーマットで削減されたＤＣＩフィールドに、復調用参照信号（Demodulate  Reference  Signal）の密度情報を追加することを特徴とする請求項４から請求項７のいずれかに記載の基地局装置。
【請求項９】
前記制御信号生成手段は、ＭＵ−ＭＩＭＯ用のＤＣＩフォーマットで削減されたＤＣＩフィールドに、通信対象となる移動局装置以外の移動局装置の復調用参照信号（Demodulate  Reference  Signal）に関する情報を追加することを特徴とする請求項４から請求項７のいずれかに記載の基地局装置。
【請求項１０】
前記制御信号生成手段は、ＭＵ−ＭＩＭＯ用のＤＣＩフォーマットで削減されたＤＣＩフィールドに、データチャネル信号と復調用参照信号（Demodulate  Reference  Signal）との送信電力比を追加することを特徴とする請求項４から請求項９のいずれかに記載の基地局装置。
【請求項１１】
ＳＵ−ＭＩＭＯ用のＤＣＩフォーマットとＭＵ−ＭＩＭＯ用のＤＣＩフォーマットとを識別する識別情報を含み、同一のビット数を有するＳＵ−ＭＩＭＯ用又はＭＵ−ＭＩＭＯ用のＤＣＩフォーマットを含む制御信号を基地局装置から受信する受信手段と、前記制御信号に含まれるＤＣＩフォーマットの種別を前記識別情報により検出すると共に、当該ＤＣＩフォーマットに含まれる情報を検出する検出手段とを具備することを特徴とする移動局装置。
【請求項１２】
前記検出手段は、ＤＣＩフィールドの一部に追加された前記識別情報を判定し、前記制御信号に含まれるＤＣＩフォーマットの種別を検出することを特徴とする請求項１１記載の移動局装置。
【請求項１３】
前記検出手段は、ＤＣＩフィールドの一部にマスキングされた前記識別情報を復元し、当該復元した前記識別情報に応じて前記制御信号に含まれるＤＣＩフォーマットの種別を検出することを特徴とする請求項１１記載の移動局装置。
【請求項１４】
基地局装置から受信したデータチャネル信号を復調する復調手段を具備し、前記復調手段は、前記ＤＣＩフォーマットに含まれる復調用参照信号（Demodulate  Reference  Signal）の密度情報に基づいてデータチャネル信号を復調することを特徴とする請求項１１から請求項１３のいずれかに記載の移動局装置。
【請求項１５】
基地局装置から受信したデータチャネル信号を復調する復調手段を具備し、前記復調手段は、前記ＤＣＩフォーマットに含まれる自装置以外の移動局装置に割り当てられた復調用参照信号（Demodulate  Reference  Signal）に基づいてデータチャネル信号を復調することを特徴とする請求項１１から請求項１３のいずれかに記載の移動局装置。
【請求項１６】
基地局装置から受信したデータチャネル信号を復調する復調手段を具備し、前記復調手段は、前記ＤＣＩフォーマットに含まれるデータチャネル信号と復調用参照信号（Demodulate  Reference  Signal）との送信電力比に基づいてデータチャネル信号を復調することを特徴とする請求項１１から請求項１５のいずれかに記載の移動局装置。
【請求項１７】
基地局装置において、ＳＵ−ＭＩＭＯ用のＤＣＩフォーマットとＭＵ−ＭＩＭＯ用のＤＣＩフォーマットとを識別する識別情報を選択するステップと、前記識別情報を含み、同一のビット数を有するＳＵ−ＭＩＭＯ用又はＭＵ−ＭＩＭＯ用のＤＣＩフォーマットを含む制御信号を生成するステップと、前記制御信号を送信するステップと、移動局装置において、前記制御信号を受信するステップと、前記制御信号に含まれるＤＣＩフォーマットの種別を前記識別情報により検出すると共に、当該ＤＣＩフォーマットに含まれる情報を検出するステップとを具備することを特徴とする制御情報送信方法。
【発明の詳細な説明】
【技術分野】
【０００１】
本発明は、基地局装置、移動局装置及び制御情報送信方法に関し、特に、マルチアンテナ伝送に対応する基地局装置、移動局装置及び制御情報送信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ-ＣＤＭＡ（Wideband  Code  Division  Multiple  Access）をベースとしたシステムの特徴を最大限に引き出すことが行われている。このＵＭＴＳネットワークについては、更なる高速データレート、低遅延などを目的としてロングタームエボリューション（ＬＴＥ:Long  Term  Evolution）が検討されている。
【０００３】
第３世代のシステムは、概して５ＭＨｚの固定帯域を用いて、下り回線で最大２Ｍｂｐｓ程度の伝送レートを実現できる。一方、ＬＴＥ方式のシステムにおいては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。例えば、ＬＴＥ−Ａにおいては、ＬＴＥ仕様の最大システム帯域である２０ＭＨｚを、１００ＭＨｚ程度まで拡張することが予定されている。
【０００４】
また、ＬＴＥ方式のシステムにおいては、複数のアンテナでデータを送受信し、データレート（周波数利用効率）を向上させる無線通信技術としてＭＩＭＯ(Multi  Input  Multi  Output)システムが提案されている（例えば、非特許文献１参照）。ＭＩＭＯシステムにおいては、送受信機に複数の送信／受信アンテナを用意し、異なる送信アンテナから同時に異なる送信情報系列を送信する。一方、受信機側では、送信／受信アンテナ間で異なるフェージング変動が生じることを利用して、同時に送信された情報系列を分離して検出することにより、データレート（周波数利用効率）を増大することが可能である。
【０００５】
ＬＴＥ方式のシステムにおいては、異なる送信アンテナから同時に送信する送信情報系列が、全て同一のユーザのものであるシングルユーザＭＩＭＯ（ＳＵ−ＭＩＭＯ(Single  User  MIMO)）と、異なるユーザのものであるマルチユーザＭＩＭＯ（ＭＵ−ＭＩＭＯ(Multiple  User  MIMO)）とが規定されている。Ｒｅｌｅａｓｅ８（Ｒｅｌ．８）のＬＴＥシステムにおいて、ＳＵ−ＭＩＭＯとＭＵ−ＭＩＭＯとは異なる送信モードに規定され、それぞれ異なる下り制御チャネル（ＤＣＩ（Downlink  Control  Information））フォーマットが規定されている。例えば、ＳＵ−ＭＩＭＯは、送信モード３（オープンループ）及び送信モード４（クローズドループ）に規定され、ＭＵ−ＭＩＭＯは、送信モード５に規定されている。それぞれの送信モードは、ＤＣＩフォーマットのビット数及びＤＣＩフォーマットに含まれる情報が異なる。送信モード間は、準静的に切り替えることが可能である。
【０００６】
各送信モードには、用途に応じて、２つのＤＣＩフォーマットを規定することができる。例えば、ＭＵ−ＭＩＭＯに対応する送信モード５においては、ＤＣＩフォーマット１Ｄ、１Ａが規定されている。同一の送信モード内においては、ＤＣＩフォーマットを動的に切り替えることが可能である。移動局装置（ＵＥ）側では、基地局装置で選択したＤＣＩフォーマットをブラインド検出する。このため、ＤＣＩフォーマットの数が多いほど、ブラインド検出のためのサーチ回数が増大するが、Ｒｅｌ．８のＬＴＥシステムにおいては、１つの送信モードに対して、２つのＤＣＩフォーマットまで含めることが許容されている。
【０００７】
一方、Ｒｅｌｅａｓｅ９（Ｒｅｌ．９）のＬＴＥシステムにおいては、ユーザ個別の復調用の参照信号（UE  specific  RS）を用いたＳＵ−ＭＩＭＯ及びＭＵ−ＭＩＭＯが同一のＤＣＩフォーマットに規定されている（ＤＣＩフォーマット２Ｂ）。このため、Ｒｅｌ．９のＬＴＥシステムにおいては、最大送信ストリーム数が２のＳＵ−ＭＩＭＯと最大多重ユーザ数が２のＭＵ−ＭＩＭＯとを動的に切り替えることができる。また、ＤＣＩフォーマット２Ｂを含む送信モードには、この他にＤＣＩフォーマット１Ａのみが含まれることから、移動局装置側におけるブラインド検出のためのサーチ回数も、Ｒｅｌ．８と同一の回数に維持することができる。
【先行技術文献】
【非特許文献】
【０００８】
【非特許文献１】3GPP  TR  25.913“Requirements  for  Evolved  UTRA  and  Evolved  UTRAN”
【発明の概要】
【発明が解決しようとする課題】
【０００９】
ところで、上述したように、ＬＴＥ−Ａにおいては、最大システム帯域幅が１００ＭＨｚ程度まで拡張されると共に、最大送信アンテナ数が８つまで拡張されることが予定されている。このため、サポートするストリーム数又は空間多重ユーザ数がＲｅｌ．９のＬＴＥシステムと比べて増大することが予想される。そして、このようにサポートするストリーム数又は空間多重ユーザ数が増大する環境においても、ＳＵ−ＭＩＭＯとＭＵ−ＭＩＭＯとを動的に切り替えてサポートすることが要請されると考えられる。
【００１０】
例えば、ＳＵ−ＭＩＭＯとＭＵ−ＭＩＭＯとを動的に切り替える手法として、同一の送信モードに規定されるＤＣＩフォーマットを増やす一方（例えば、３つのＤＣＩフォーマットとする）、移動局装置におけるブラインド検出のサーチ回数を増やすことが考えられる。この場合、選択可能なＤＣＩフォーマットの適用範囲を増やすことができるので、ストリーム数又は空間多重ユーザ数が増大する環境においても、ＳＵ−ＭＩＭＯとＭＵ−ＭＩＭＯとを動的に切り替えてサポートすることが可能となる。しかしながら、ブラインド検出のサーチ回数を増やす場合には、移動局装置におけるブラインド検出に要する負荷が大幅に大きくなり、移動局装置の演算処理量が増大するという問題がある。
【００１１】
本発明は、このような実情に鑑みてなされたものであり、システム帯域幅が拡張される場合においても、移動局装置におけるブラインド検出に要する負荷の増大を回避しつつ、ＳＵ−ＭＩＭＯとＭＵ−ＭＩＭＯとを動的に切り替えることができる基地局装置、移動局装置及び制御情報送信方法を提供することを目的とする。
【課題を解決するための手段】
【００１２】
本発明の基地局装置は、ＳＵ−ＭＩＭＯ用のＤＣＩフォーマットとＭＵ−ＭＩＭＯ用のＤＣＩフォーマットとを識別する識別情報を選択する識別情報選択手段と、前記識別情報を含み、同一のビット数を有するＳＵ−ＭＩＭＯ用又はＭＵ−ＭＩＭＯ用のＤＣＩフォーマットを含む制御信号を生成する制御信号生成手段と、前記制御信号を移動局装置に送信する送信手段とを具備することを特徴とする。
【００１３】
この構成によれば、移動局装置に送信される制御信号に含まれるＳＵ−ＭＩＭＯ用又はＭＵ−ＭＩＭＯ用のＤＣＩフォーマットが同一のビット数を有することから、移動局装置におけるブラインド検出のサーチ回数を増やすことなく当該ＤＣＩフォーマットの情報を復号させることができる。また、ＤＣＩフォーマットには、ＳＵ−ＭＩＭＯ用のＤＣＩフォーマットとＭＵ−ＭＩＭＯ用のＤＣＩフォーマットとを識別する識別情報が含まれることから、ＳＵ−ＭＩＭＯ用及びＭＵ−ＭＩＭＯ用のＤＣＩフォーマットを確実に識別させることができ、ＳＵ−ＭＩＭＯとＭＵ−ＭＩＭＯとを動的に切り替えさせることができる。
【００１４】
本発明の移動局装置は、ＳＵ−ＭＩＭＯ用のＤＣＩフォーマットとＭＵ−ＭＩＭＯ用のＤＣＩフォーマットとを識別する識別情報を含み、同一のビット数を有するＳＵ−ＭＩＭＯ用又はＭＵ−ＭＩＭＯ用のＤＣＩフォーマットを含む制御信号を基地局装置から受信する受信手段と、前記制御信号に含まれるＤＣＩフォーマットの種別を前記識別情報により検出すると共に、当該ＤＣＩフォーマットに含まれる情報を検出する検出手段とを具備することを特徴とする。
【００１５】
この構成によれば、基地局装置から受信した制御信号に含まれるＳＵ−ＭＩＭＯ用又はＭＵ−ＭＩＭＯ用のＤＣＩフォーマットが同一のビット数を有することから、移動局装置におけるブラインド検出のサーチ回数を増やすことなく当該ＤＣＩフォーマットの情報を復号することができる。また、ＤＣＩフォーマットには、ＳＵ−ＭＩＭＯ用のＤＣＩフォーマットとＭＵ−ＭＩＭＯ用のＤＣＩフォーマットとを識別する識別情報が含まれることから、ＳＵ−ＭＩＭＯ用及びＭＵ−ＭＩＭＯ用のＤＣＩフォーマットを確実に識別することができ、ＳＵ−ＭＩＭＯとＭＵ−ＭＩＭＯとを動的に切り替えることができる。
【００１６】
本発明の制御情報送信方法は、基地局装置において、ＳＵ−ＭＩＭＯ用のＤＣＩフォーマットとＭＵ−ＭＩＭＯ用のＤＣＩフォーマットとを識別する識別情報を選択するステップと、前記識別情報を含み、同一のビット数を有するＳＵ−ＭＩＭＯ用又はＭＵ−ＭＩＭＯ用のＤＣＩフォーマットを含む制御信号を生成するステップと、前記制御信号を送信するステップと、移動局装置において、前記制御信号を受信するステップと、前記制御信号に含まれるＤＣＩフォーマットの種別を前記識別情報により検出すると共に、当該ＤＣＩフォーマットに含まれる情報を検出するステップとを具備することを特徴とする。
【００１７】
この方法によれば、基地局装置から移動局装置に送信される制御信号に含まれるＳＵ−ＭＩＭＯ用又はＭＵ−ＭＩＭＯ用のＤＣＩフォーマットが同一のビット数を有することから、移動局装置におけるブラインド検出のサーチ回数を増やすことなく当該ＤＣＩフォーマットの情報を復号することができる。また、ＤＣＩフォーマットには、ＳＵ−ＭＩＭＯ用のＤＣＩフォーマットとＭＵ−ＭＩＭＯ用のＤＣＩフォーマットとを識別する識別情報が含まれることから、ＳＵ−ＭＩＭＯ用及びＭＵ−ＭＩＭＯ用のＤＣＩフォーマットを確実に識別することができ、ＳＵ−ＭＩＭＯとＭＵ−ＭＩＭＯとを動的に切り替えることができる。
【発明の効果】
【００１８】
本発明によれば、基地局装置から移動局装置に送信される制御信号に含まれるＳＵ−ＭＩＭＯ用又はＭＵ−ＭＩＭＯ用のＤＣＩフォーマットが同一のビット数を有することから、移動局装置におけるブラインド検出のサーチ回数を増やすことなく当該ＤＣＩフォーマットの情報を復号することができる。また、ＤＣＩフォーマットには、ＳＵ−ＭＩＭＯ用のＤＣＩフォーマットとＭＵ−ＭＩＭＯ用のＤＣＩフォーマットとを識別する識別情報が含まれることから、ＳＵ−ＭＩＭＯ用及びＭＵ−ＭＩＭＯ用のＤＣＩフォーマットを確実に識別することができ、ＳＵ−ＭＩＭＯとＭＵ−ＭＩＭＯとを動的に切り替えることができる。この結果、システム帯域幅が拡張される場合においても、移動局装置（ＵＥ）におけるブラインド検出に要する負荷の増大を回避しつつ、ＳＵ−ＭＩＭＯとＭＵ−ＭＩＭＯとを動的に切り替えることが可能となる。
【図面の簡単な説明】
【００１９】
【図１】ＬＴＥ及びＬＴＥ-Ａシステムのシステム帯域を説明するための図である。
【図２】Ｒｅｌ．９のＬＴＥシステムにおけるＤＣＩフォーマット２Ｂを説明するための模式図である。
【図３】本発明に係る移動通信システムで使用されるＤＣＩフォーマットの概要を説明するための模式図である。
【図４】本発明に係る移動通信システムで使用されるＤＣＩフォーマットの概要を説明するための模式図である。
【図５】本発明に係る移動通信システムで使用されるＤＣＩフォーマットから削減される情報を説明するための模式図である。
【図６】ＬＴＥ−ＡシステムにおけるＤＭＲＳの多重方法について説明するための模式図である。
【図７】ＬＴＥ−Ａシステムにおけるデータチャネル信号とＤＭＲＳとの送信電力比について説明するための模式図である。
【図８】ＭＵ−ＭＩＭＯ固有の情報を追加した場合のＭＵ−ＭＩＭＯ用のＤＣＩフォーマットの一例を示す模式図である。
【図９】本発明の一実施の形態に係る移動通信システムの構成を説明するための図である。
【図１０】上記実施の形態に係る基地局装置の構成を示すブロック図である。
【図１１】上記実施の形態に係る移動局装置の構成を示すブロック図である。
【発明を実施するための形態】
【００２０】
図１は、ＬＴＥ及びＬＴＥ-Ａシステムのシステム帯域を説明するための図である。図１に示す例は、複数の基本周波数ブロックで構成される第１システム帯域を持つ第１移動通信システムであるＬＴＥ−Ａシステムと、一つの基本周波数ブロックで構成される第２システム帯域を持つ第２移動通信システムであるＬＴＥシステムが併存する場合の階層型帯域幅構成である。ＬＴＥ−Ａシステムにおいては、例えば、１００ＭＨｚ以下の可変のシステム帯域幅で無線通信し、ＬＴＥシステムにおいては、２０ＭＨｚ以下の可変のシステム帯域幅で無線通信する。ＬＴＥ−Ａシステムのシステム帯域は、ＬＴＥシステムのシステム帯域を一単位とする少なくとも一つの基本周波数ブロックとなっている。ＬＴＥ−Ａでは基本周波数ブロックをコンポーネントキャリア（ＣＣ）と呼ぶ。このように複数の基本周波数ブロックを結合して広帯域化することをキャリアアグリゲーションという。
【００２１】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動局装置ＵＥ（User  Equipment）＃１は、ＬＴＥ−Ａシステム対応（ＬＴＥシステムにも対応）の移動局装置であり、１００ＭＨｚまでのシステム帯域に対応可能である。ＵＥ＃２は、ＬＴＥ−Ａシステム対応（ＬＴＥシステムにも対応）の移動局装置であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）の移動局装置であり、２０ＭＨｚ（ベース帯域）までのシステム帯域に対応可能である。
【００２２】
Ｒｅｌｅａｓｅ９（Ｒｅｌ．９）のＬＴＥシステムにおいては、ユーザ個別の復調用参照信号（UE  specific  RS）を用いたＳＵ−ＭＩＭＯ及びＭＵ−ＭＩＭＯが同一のＤＣＩフォーマットに規定されている（ＤＣＩフォーマット２Ｂ）。図２は、Ｒｅｌ．９のＬＴＥシステムにおけるＤＣＩフォーマット２Ｂを説明するための模式図である。
【００２３】
図２に示すように、Ｒｅｌ．９のＬＴＥシステムで規定されるＤＣＩフォーマットには、端末毎のリソース割当情報(Resource  block  allocation)、新規データか再送データかを識別する識別子（ＮＤＩ：New  data  indicator）やＨＡＲＱで冗長度のどの部分を送っているかを示す情報（Redundancy  version）であるＨＡＲＱ情報、割り当てたリソースブロック誤り率を満たす最も高効率のＭＣＳ(Modulation  and  Coding  Scheme)に関する情報（ＭＣＳ情報）、端末側で生じた受信データ誤りを高効率、低遅延で訂正するために用いられるＨＡＲＱに関する情報（ＨＡＲＱ情報）、送信ストリーム数を示すランク情報（Rank  information）、その他の情報（other  information）、巡回冗長検査（ＣＲＣ：Cyclic  Redundancy  check）符号が含まれている。
【００２４】
なお、ＭＣＳ情報及びＨＡＲＱ情報は、データの再送単位であるトランスポートブロック（ＴＢ：Transport  Block）毎に規定されている（図２では、ＴＢ＃１、ＴＢ＃２に対応するＭＣＳ情報及びＨＡＲＱ情報を示している）。トランスポートブロックは、コードワードとも呼ばれる。その他の情報には、例えば、初回送信と再送パケットを合成する際に対応するメモリを指示するハイブリッドＡＲＱプロセス番号（HARQ  process  number）やＰＵＣＣＨの送信電力制御コマンド（TPC  for  PUCCH)などが含まれている。
【００２５】
このような構成を有するＤＣＩフォーマット２Ｂの構成を用いて、ＬＴＥ−Ａでサポート可能なストリーム数又は空間多重ユーザ数に対応しようとする場合、ＬＴＥ−Ａでは最大８ストリーム又は最大８ユーザをサポート可能であることから、特にランク情報に含まれる情報が多くなり、ＤＣＩフォーマットのビット数が増大することとなる。一般に、ＳＵ−ＭＩＭＯとＭＵ−ＭＩＭＯとでは、ＤＣＩフォーマットに規定すべき情報量が異なることから、ＳＵ−ＭＩＭＯ用のＤＣＩフォーマットのビット数とＭＵ−ＭＩＭＯ用のＤＣＩフォーマットのビット数とは必ずしも同一にはならない。一方、移動局装置ＵＥで１回のブラインド検出によりＤＣＩフォーマットを識別する場合には、ＤＣＩフォーマットのビット数が同一であることが必要である。ＳＵ−ＭＩＭＯ用のＤＣＩフォーマットとＭＵ−ＭＩＭＯ用のＤＣＩフォーマットとの間でビット数が異なる場合には、個別にブラインド検出を行う必要がある。本発明者は、このようにＳＵ−ＭＩＭＯ用及びＭＵ−ＭＩＭＯ用のＤＣＩフォーマットにおけるビット数の相違が移動局装置ＵＥにおけるブラインド検出のサーチ回数に影響を与えている点に着目し、本発明をするに至ったものである。
【００２６】
本発明の一つの態様では、ＰＤＣＣＨ（ＰＤＣＣＨ：Physical  Downlink  Control  Channel）で通知されるＤＣＩフォーマットのビット数をＳＵ−ＭＩＭＯとＭＵ−ＭＩＭＯとの間で同一にすると共に、そのＤＣＩフォーマットに、ＳＵ−ＭＩＭＯ又はＭＵ−ＭＩＭＯを識別するためのフラグインディケータが設定される追加フィールドを設ける。図３は、本発明に係る移動通信システムで使用されるＤＣＩフォーマットの概要を説明するための模式図である。
【００２７】
図３（ａ）、（ｂ）に示すように、ＳＵ−ＭＩＭＯ用及びＭＵ−ＭＩＭＯ用のＤＣＩフォーマットにおいて、両者のビット数は同一であり、その先頭にＳＵ−ＭＩＭＯ又はＭＵ−ＭＩＭＯを識別するためのフラグインディケータが設定される追加フィールド（１ビット）が設けられている。なお、フラグインディケータ以外のＤＣＩフォーマットに含まれる情報は、ＳＵ−ＭＩＭＯとＭＵ−ＭＩＭＯとの間で異なっている。
【００２８】
この態様によれば、ＳＵ−ＭＩＭＯ用及びＭＵ−ＭＩＭＯ用のＤＣＩフォーマットのビット数を同一にすることにより、移動局装置ＵＥにおけるブラインド検出のサーチ回数を増やすことなく当該ＤＣＩフォーマットの情報を復号することができる。そして、ＤＣＩフォーマットには、ＳＵ−ＭＩＭＯ又はＭＵ−ＭＩＭＯを識別するためのフラグインディケータが含まれることから、ＳＵ−ＭＩＭＯ用及びＭＵ−ＭＩＭＯ用のＤＣＩフォーマットを識別することができるので、ＳＵ−ＭＩＭＯとＭＵ−ＭＩＭＯとを動的に切り替えることができる。
【００２９】
本発明の別の態様では、ＰＤＣＣＨで通知されるＤＣＩフォーマットのビット数をＳＵ−ＭＩＭＯ及びＭＵ−ＭＩＭＯとの間で同一にすると共に、そのＤＣＩフォーマットの一部を、ＳＵ−ＭＩＭＯ又はＭＵ−ＭＩＭＯを識別するための異なるユーザ識別子（ＵＥ−ＩＤ）によりマスキングする。図４は、本発明に係る移動通信システムで使用されるＤＣＩフォーマットの概要を説明するための模式図である。
【００３０】
図４（ａ）、（ｂ）に示すように、ＳＵ−ＭＩＭＯ用及びＭＵ−ＭＩＭＯ用のＤＣＩフォーマットにおいて、そのビット数は同一であり、ＤＣＩフォーマットの最後尾に付加されている１６ビットのＣＲＣ符号が、ＳＵ−ＭＩＭＯ用のユーザ識別子（ＵＥ−ＩＤ＃１）、或いは、ＭＵ−ＭＩＭＯ用のユーザ識別子（ＵＥ−ＩＤ＃２）によりマスキングされている。なお、マスキングの手法としては、例えば、ＣＲＣ符号とユーザ識別子（ＵＥ−ＩＤ＃１、＃２）との間の排他的論理和の演算処理を使用することができる。
【００３１】
この態様によれば、ＳＵ−ＭＩＭＯ用及びＭＵ−ＭＩＭＯ用のＤＣＩフォーマットのビット数を同一にすることにより、移動局装置ＵＥにおけるブラインド検出のサーチ回数を増やすことなく当該ＤＣＩフォーマットの情報を復号することができる。そして、ＤＣＩフォーマットには、ＳＵ−ＭＩＭＯ又はＭＵ−ＭＩＭＯを識別するための異なるユーザ識別子（ＵＥ−ＩＤ）によりマスキングされたＣＲＣ符号が付加されていることから、移動局装置（ＵＥ）でユーザに割り当てられたユーザ識別子（この場合、ＵＥ−ＩＤ＃１、＃２）を用いてＣＲＣ符号を復元することにより、ＳＵ−ＭＩＭＯ用及びＭＵ−ＭＩＭＯ用のＤＣＩフォーマットを識別することができるので、ＳＵ−ＭＩＭＯとＭＵ−ＭＩＭＯとを動的に切り替えることができる。
【００３２】
また、この態様においては、図３に示す態様のＤＣＩフォーマットのように、フラグインディケータのための追加フィールドを設ける必要がないので、当該ＤＣＩフォーマットよりも、ＤＣＩフォーマット自体のビット数を低減することが可能である（ここでは、ＤＣＩフォーマットのビット数が１ビット低減される）。
【００３３】
ところで、ＬＴＥ−ＡシステムにてＭＵ−ＭＩＭＯ伝送を行う場合、ＭＵ−ＭＩＭＯ固有の情報を移動局装置ＵＥに伝達し、移動局装置ＵＥでその情報を活用することにより、例えば、チャネル推定精度の改善や他の移動局装置ＵＥとの間に発生する干渉の抑制といった効果を得ることが可能である。このため、本発明に係る移動通信システムにおいては、ＭＵ−ＭＩＭＯ用のＤＣＩフォーマットに含まれる情報を削減し、当該削減した箇所をＭＵ−ＭＩＭＯ固有の情報の伝達に用いる。具体的には、ＭＵ−ＭＩＭＯ伝送を行う場合における移動局装置ＵＥ当たりの最大ストリーム数及び／又は最大コードワード数に一定の制限を加えることで、ＭＵ−ＭＩＭＯ用のＤＣＩフォーマットに含まれる情報を削減し、当該削減した箇所にＭＵ−ＭＩＭＯ固有の情報を追加する。
【００３４】
本発明に係る移動通信システムにおいては、ＭＵ−ＭＩＭＯ用のＤＣＩフォーマットに含まれる情報を削減するために、移動局装置ＵＥ当たりの最大ストリーム数を２ストリームに制限する方法（方法１）、移動局装置ＵＥ当たりの最大コードワード数を１コードワードに制限する方法（方法２）、並びに、移動局装置ＵＥ当たりの最大ストリーム数を２ストリームに制限すると共に、移動局装置ＵＥ当たりの最大コードワード数を１コードワードに制限する方法（方法３）、並びに、移動局装置ＵＥ当たりの最大ストリーム数を１ストリームに制限すると共に、移動局装置ＵＥ当たりの最大コードワード数を１コードワードに制限する方法（方法４）を選択可能とする。なお、ＳＵ−ＭＩＭＯ伝送を行う場合における最大ストリーム数及び最大コードワード数については、既存のＬＴＥシステムと同様に、それぞれ送信アンテナ数及び２コードワードに規定されているものとする。
【００３５】
以下、上記方法１〜方法４により、ＭＵ−ＭＩＭＯ用のＤＣＩフォーマットから削減可能な情報について図５を参照しながら説明する。図５（ａ）〜（ｄ）は、本発明に係る移動通信システムで使用されるＤＣＩフォーマットから削減される情報を説明するための模式図である。図５（ａ）においては、方法１によりＤＣＩフォーマットから削減される情報を示している。図５（ｂ）においては、方法２によりＤＣＩフォーマットから削減される情報を示している。図５（ｃ）においては、方法３によりＤＣＩフォーマットから削減される情報を示している。図５（ｄ）においては、方法４によりＤＣＩフォーマットから削減される情報を示している。
【００３６】
図５（ａ）に示すＭＵ−ＭＩＭＯ用のＤＣＩフォーマットにおいては、移動局装置ＵＥ当たりの最大ストリーム数が２ストリームに制限されている。なお、移動局装置ＵＥ当たりの最大コードワード数には、特に制限が加えられていない（すなわち、２コードワードに規定されている）。移動局装置ＵＥ当たりの最大ストリーム数が２ストリームに制限されていることから、ＤＣＩフォーマットにおいては、送信ストリーム数を示すランク情報が削減されることとなる。これにより、ランク情報が削減されたフィールド（斜線で示す部分）にＭＵ−ＭＩＭＯ固有の情報を追加することが可能となる。なお、方法１においては、移動局装置ＵＥ当たりの最大ストリーム数が２ストリームに制限する場合について説明しているが、最大ストリーム数を１ストリームに制限することも可能である。この場合には、送信ストリーム数を示すランク情報を更に削減することができ、より多くのＭＵ−ＭＩＭＯ固有の情報を追加することが可能となる。
【００３７】
図５（ｂ）に示すＭＵ−ＭＩＭＯ用のＤＣＩフォーマットにおいては、移動局装置ＵＥ当たりの最大コードワード数が１コードワードに制限されている。なお、移動局装置ＵＥ当たりの最大ストリーム数には、特に制限を加えられていない。移動局装置ＵＥ当たりの最大コードワード数が１コードワードに制限されていることから、ＤＣＩフォーマットにおいては、トランスポートブロックＴＢ＃２に対応するＭＣＳ情報及びＨＡＲＱ情報が削減されることとなる。これにより、ＭＣＳ情報及びＨＡＲＱ情報が削減されたフィールド（斜線で示す部分）にＭＵ−ＭＩＭＯ固有の情報を追加することが可能となる。
【００３８】
図５（ｃ）に示すＭＵ−ＭＩＭＯ用のＤＣＩフォーマットにおいては、移動局装置ＵＥ当たりの最大ストリーム数が２ストリームに制限されると共に、最大コードワード数が１コードワードに制限されている。移動局装置ＵＥ当たりの最大ストリーム数が２ストリームに制限されると共に、最大コードワード数が１コードワードに制限されていることから、ＤＣＩフォーマットにおいては、送信ストリーム数を示すランク情報、並びに、トランスポートブロックＴＢ＃２に対応するＭＣＳ情報及びＨＡＲＱ情報が削減されることとなる。これにより、これらの情報が削減されたフィールド（斜線で示す部分）にＭＵ−ＭＩＭＯ固有の情報を追加することが可能となる。
【００３９】
図５（ｄ）に示すＭＵ−ＭＩＭＯ用のＤＣＩフォーマットにおいては、移動局装置ＵＥ当たりの最大ストリーム数が１ストリームに制限されると共に、最大コードワード数が１コードワードに制限されている。移動局装置ＵＥ当たりの最大ストリーム数が１ストリームに制限されると共に、最大コードワード数が１コードワードに制限されていることから、ＤＣＩフォーマットにおいては、送信ストリーム数を示すランク情報、並びに、トランスポートブロックＴＢ＃２に対応するＭＣＳ情報及びＨＡＲＱ情報が削減されることとなる。特に、移動局装置ＵＥ当たりの最大ストリーム数が１ストリームに制限されていることから、ランク情報の削減幅が方法３による削減幅よりも大きくなっている。これにより、これらの情報が削減されたフィールド（斜線で示す部分）にＭＵ−ＭＩＭＯ固有の情報を追加することが可能となる。
【００４０】
これらのような移動局装置ＵＥ当たりの最大ストリーム数及び／又は最大コードワード数に対する一定の制限は、移動局装置ＵＥから基地局装置ｅＮｏｄｅＢに対するフィードバック情報（より具体的にはランク数（ストリーム数）に関する情報）に一定の制限を設けることで実現される。このようなフィードバック情報の制限は、例えば、上位レイヤ信号（ＲＲＣ信号）で規定されている制御信号（コードブックサブセットリストリクション）で行われる。ＲＲＣ信号でフィードバック情報の制限が指示されると、移動局装置ＵＥからその制限内容に応じたフィードバック情報がフィードバックされ、基地局装置ｅＮｏｄｅＢにより当該フィードバック情報に応じて無線リソースのスケジューリングが行われることとなる。
【００４１】
上記方法１〜方法４により削減されたＭＵ−ＭＩＭＯ用のＤＣＩフォーマットのＤＣＩフィールドに対し、本発明に係る移動通信システムにおいては、ＭＵ−ＭＩＭＯ固有の情報として、i）復調用参照信号（ＤＭＲＳ：Demodulate  Reference  Signal）の密度情報、ii）他の移動局装置ＵＥに割り当てられたＤＭＲＳ情報、iii）データチャネル（ＰＤＳＣＨ：Physical  Downlink  Shared  Channel）とＤＭＲＳとの送信電力比の少なくとも１つを追加可能とする。以下、上記i）〜iii）に示すＭＵ−ＭＩＭＯ固有の情報を追加した場合に得られる効果について説明する。
【００４２】
ここで、上記i）ＤＭＲＳの密度情報を追加する場合の効果を説明する前にＬＴＥ−ＡシステムにおけるＤＭＲＳの多重方法について説明する。図６は、ＬＴＥ−ＡシステムにおけるＤＭＲＳの多重方法について説明するための模式図である。図６（ａ）においては、空間多重されるストリーム数が１の場合（ランク１の場合）における１リソースブロック（ＲＢ）当たりのＤＭＲＳの多重状態について示している。同様に、図６（ｂ）、図６（ｃ）は、それぞれ空間多重されるストリーム数が２、４の場合（ランク２、４の場合）における１ＲＢ当たりのＤＭＲＳの多重状態について示している。図６（ａ）〜（ｃ）に示すように、ＬＴＥ−ＡシステムにおけるＤＭＲＳは、空間多重されるストリーム数（すなわち、ランク数）に応じてその密度が変化する。なお、１リソースブロックは、１２サブキャリア（１８０ｋＨｚ)で構成される。１サブフレームは、時間領域が第１及び第２スロットで構成され、１スロットは、７ＯＦＤＭシンボルで構成される。１リソースエレメント（ＲＥ）は、１サブキャリア×１ＯＦＤＭシンボルにより構成される。
【００４３】
ランク１の場合、図６（ａ）に示すように、１ＲＢ当たり１２個のＲＥにレイヤ１のＤＭＲＳが割り当てられている。ランク２の場合、図６（ｂ）に示すように、レイヤ１のＤＭＲＳが割り当てられたＲＥにレイヤ２のＤＭＲＳが符号分割多重（ＣＤＭ：Code  Division  Multiplexing）される。ランク３の場合には、レイヤ１、２のＤＭＲＳが割り当てられたＲＥに隣接するサブキャリアのＲＥにレイヤ３のＤＭＲＳが周波数分割多重（ＦＤＭ：Frequency  Division  Multiplexing）される（図６（ｃ）参照）。ランク４の場合、図６（ｃ）に示すように、レイヤ３のＤＭＲＳが割り当てられたＲＥにレイヤ４のＤＭＲＳが符号分割多重（ＣＤＭ）される。すなわち、ランク１、２と、ランク３、４とでは、１ＲＢ当たりのＤＭＲＳの密度が異なっている。
【００４４】
上記i）ＤＭＲＳの密度情報を追加する場合には、このようにランク数に応じて変化する密度情報がＭＵ−ＭＩＭＯ用のＤＣＩフォーマットに追加される。図６（ａ）、（ｂ）に示すランク１、２の場合には、１ＲＢ当たり１２個のＤＭＲＳが割り当てられていることを示す密度情報（１２ＲＥ／ＲＢ）が追加される。一方、図６（ｃ）に示すランク３、４の場合には、１ＲＢ当たり２４個のＤＭＲＳが割り当てられていることを示す密度情報（２４ＲＥ／ＲＢ）が追加される。このようにＤＭＲＳの密度情報が追加されたＭＵ−ＭＩＭＯ用のＤＣＩフォーマットを含むＰＤＣＣＨを受信すると、移動局装置ＵＥにおいて、ＤＭＲＳの密度情報に応じてデータチャネル信号（ＰＤＳＣＨ）のパンクチャ処理の状況を認識することができる。そして、その認識結果から適切に送信データを復調することにより、ある移動局装置ＵＥのユーザのＤＭＲＳと、他の移動局装置ＵＥのＰＤＳＣＨの衝突を回避することができ、前者の移動局装置ＵＥにおけるチャネル推定精度を改善することが可能となる。
【００４５】
上記ii）他の移動局装置ＵＥに割り当てられたＤＭＲＳ情報を追加する場合には、ＭＵ−ＭＩＭＯ用のＤＣＩフォーマットを含むＰＤＣＣＨを受信すると、移動局装置ＵＥにおいて、他の移動局装置ＵＥに対してどのようなＤＭＲＳ情報が割り当てられているかを認識することができる。これにより、他の移動局装置ＵＥに割り当てられたＤＭＲＳ情報に応じて他の移動局装置ＵＥに対する送信データ（データチャネル信号）をキャンセルすることができるので、他の移動局装置ＵＥに対する送信データとの干渉を抑制することが可能となる。
【００４６】
上記iii）データチャネル信号（ＰＤＳＣＨ）とＤＭＲＳとの送信電力比を追加する場合には、ＭＵ−ＭＩＭＯ用のＤＣＩフォーマットを含むＰＤＣＣＨを受信すると、移動局装置ＵＥにおいて、データチャネル信号に対するＤＭＲＳの送信電力比を認識することができる。これにより、基地局装置ｅＮｏｄｅＢにてＤＭＲＳの送信電力を増幅した場合においても、移動局装置ＵＥでＤＭＲＳとＰＤＳＣＨの送信電力比を把握してデータチャネルの復調をすることができるので、ＤＭＲＳの送信電力を有効に活用することができ、移動局装置ＵＥにおけるチャネル推定精度を改善することが可能となる。
【００４７】
ここで、ＬＴＥ−Ａシステムにおけるデータチャネル信号（ＰＤＳＣＨ）とＤＭＲＳとの送信電力比について説明する。図７は、ＬＴＥ−Ａシステムにおけるデータチャネル信号（ＰＤＳＣＨ）とＤＭＲＳとの送信電力比について説明するための模式図である。図７（ａ）においては、ＰＤＳＣＨに対するＤＭＲＳの送信電力比を調整（増幅）しない場合について示し、図７（ｂ）においては、本発明に係る基地局装置ｅＮｏｄｅＢでＰＤＳＣＨに対するＤＭＲＳの送信電力比を調整（増幅）した場合について示している。なお、図７においては、説明の便宜上、空間多重されるストリーム数が４の場合（ランク４の場合）について示している。
【００４８】
図７（ａ）に示すように、ＰＤＳＣＨに対するＤＭＲＳの送信電力比を調整（増幅）しない場合には、ＤＭＲＳの送信電力は、ＰＤＳＣＨの送信電力よりも低い一定の送信電力に設定されている。このため、ＤＭＲＳが割り当てられたＲＥにおける送信電力を有効に活用することができない。これに対し、図７（ｂ）に示すように、ＰＤＳＣＨに対するＤＭＲＳの送信電力比を調整（増幅）した場合には、ＤＭＲＳが割り当てられたＲＥにおける送信電力を有効に活用することができ、移動局装置ＵＥにおいては、この調整（増幅）後のＤＭＲＳに基づいてチャネル推定を行うことができる。これにより、送信電力がＰＤＳＣＨよりも低く設定される場合と比較して、チャネル推定精度を改善することが可能となる。
【００４９】
図８は、上記i）〜iii）に示すＭＵ−ＭＩＭＯ固有の情報を追加した場合のＭＵ−ＭＩＭＯ用のＤＣＩフォーマットの一例を示す模式図である。図８（ａ）においては、図５（ａ）に示すＤＣＩフォーマットにＤＭＲＳの密度情報を追加した場合について示している。図８（ｂ）においては、図５（ｂ）に示すＤＣＩフォーマットに他の移動局装置ＵＥに割り当てられたＤＭＲＳ情報を追加した場合について示している。図８（ｃ）においては、図５（ｃ）又は図５（ｄ）に示すＤＣＩフォーマットにＤＭＲＳの密度情報及びＰＤＳＣＨとＤＭＲＳとの送信電力比（Ｐｏｗｅｒ比）を追加した場合を示している。移動局装置ＵＥにおいては、これらのようにＭＵ−ＭＩＭＯ固有の情報が追加されたＭＵ−ＭＩＭＯ用のＤＣＩフォーマットを含むＰＤＣＣＨを受信することで、上記のような効果を得ることが可能となる。
【００５０】
以下、本発明の実施の形態について、添付図面を参照して詳細に説明する。ここでは、ＬＴＥ−Ａシステムに対応する基地局装置及び移動局装置を用いる場合について説明する。
【００５１】
図９を参照しながら、本発明の一実施の形態に係る移動局装置（ＵＥ）１０及び基地局装置（ｅＮｏｄｅＢ）２０を有する移動通信システム１について説明する。図９は、本発明の一実施の形態に係る移動局装置１０及び基地局装置２０を有する移動通信システム１の構成を説明するための図である。なお、図９に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００５２】
図９に示すように、移動通信システム１は、基地局装置２０と、この基地局装置２０と通信する複数の移動局装置１０（１０１、１０２、１０３、・・・１０ｎ、ｎはｎ＞０の整数）とを含んで構成されている。基地局装置２０は、上位局装置３０と接続され、この上位局装置３０は、コアネットワーク４０と接続される。移動局装置１０は、セル５０において基地局装置２０と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００５３】
各移動局装置（１０１、１０２、１０３、・・・１０ｎ）は、同一の構成、機能、状態を有するので、以下においては、特段の断りがない限り移動局装置１０として説明を進める。また、説明の便宜上、基地局装置２０と無線通信するのは移動局装置１０であるものとして説明するが、より一般的には移動端末装置も固定端末装置も含むユーザ装置（ＵＥ：User  Equipment）でよい。
【００５４】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００５５】
ここで、ＬＴＥシステムにおける通信チャネルについて説明する。下りリンクについては、各移動局装置１０で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、基地局装置２０で移動局装置１０に割り当てたＣＣやスケジューリング情報は、Ｌ１／Ｌ２制御チャネルにより移動局装置１０に通知される。
【００５６】
上りリンクについては、各移動局装置１０で共有して使用されるＰＵＳＣＨ（Physical  Uplink  Shared  Channel）と、上りリンクの制御チャネルであるＰＵＣＣＨ（Physical  Uplink  Control  Channel）とが用いられる。このＰＵＳＣＨにより、ユーザデータが伝送される。また、ＰＵＣＣＨにより、下りリンクの無線品質情報（ＣＱＩ:Channel  Quality  Indicator）等が伝送される。
【００５７】
図１０は、本実施の形態に係る基地局装置２０の構成を示すブロック図である。図１１は、本実施の形態に係る移動局装置１０の構成を示すブロック図である。なお、図１０及び図１１に示す基地局装置２０及び移動局装置１０の構成は、本発明を説明するために簡略化したものであり、それぞれ通常の基地局装置及び移動局装置が有する構成は備えているものとする。なお、図１０及び図１１に示す移動局装置１０及び基地局装置２０においては、ＳＵ−ＭＩＭＯ用のＤＣＩフォーマットであるか、ＭＵ−ＭＩＭＯ用のＤＣＩフォーマットであるかを識別するために、ＤＣＩフォーマットにフラグインディケータを設定する場合（図３参照）について説明するものとする。
【００５８】
図１０に示す基地局装置２０において、スケジューラ２０１は、後述するチャネル推定部２１５＃１〜２１５＃ｋから与えられるチャネル推定値に基づいて多重するユーザ数（多重ユーザ数）を決定する。そして、各ユーザに対する上下リンクのリソース割り当て内容（スケジューリング情報）を決定し、ユーザ＃１〜＃ｋに対する送信データ＃１〜＃ｋを対応するチャネル符号化部２０２＃１〜２０２＃ｋに送出する。なお、ユーザ＃１〜ユーザ＃ｋは、スケジューラ２０１により決定された多重ユーザ数が複数ユーザであれば異なる移動局装置１０のユーザが選択され、単独ユーザであれば同一の移動局装置１０のユーザが選択される。スケジューラ２０１により決定された多重ユーザ数は、後述するＤＣＩフォーマット選択部２０９及び制御信号生成部２１０＃１〜２１０＃ｋに出力される。ここで、多重ユーザ数を制御信号生成部２１０＃１〜２１０＃ｋに出力するのは、ＰＤＣＣＨにおけるＤＭＲＳの密度情報を通知するためである。
【００５９】
送信データ＃１〜＃ｋは、チャネル符号化部２０２＃１〜２０２＃ｋでチャネル符号化された後、データ変調部２０３＃１〜２０３＃ｋに出力され、データ変調される。この際、チャネル符号化及びデータ変調は、後述するチャネル情報再生部２１８＃１〜２１８＃ｋから与えられるチャネル符号化率及び変調方式に基づいて行われる。データ変調部２０３＃１〜２０３＃ｋでデータ変調された送信データ＃１〜＃ｋは、不図示の離散フーリエ変換部で逆フーリエ変換され、時系列の信号から周波数領域の信号に変換されてサブキャリアマッピング部２０４に出力される。
【００６０】
参照信号生成部２０５＃１〜２０５＃ｋは、ユーザ＃１〜ユーザ＃ｋ用のデータチャネル復調用の個別参照信号（UE  specific  RS）を生成する。ここでは、ユーザ＃１〜ユーザ＃ｋ用のＤＭＲＳが生成されるものとする。参照信号生成部２０５＃１〜２０５＃ｋにより生成された各ＤＭＲＳは、参照信号電力決定部２０６＃１〜２０６＃ｋに出力されると共に、後述する制御信号生成部２１０＃１〜２１０＃ｋに出力される。ここで、ＤＭＲＳを制御信号生成部２１０＃１〜２１０＃ｋに出力するのは、複数の移動局装置に割り当てられたＤＭＲＳ情報を通知するためである。
【００６１】
参照信号電力決定部２０６＃１〜２０６＃ｋは、参照信号生成部２０５＃１〜２０５＃ｋから受け取った各ＤＭＲＳの送信電力を決定し、各ＤＭＲＳをその送信電力に調整する。参照信号電力決定部２０６＃１〜２０６＃ｋにより送信電力が調整された各ＤＭＲＳは、サブキャリアマッピング部２０４に出力される。また、各ＤＭＲＳの送信電力に関する情報は、制御信号生成部２１０＃１〜２１０＃ｋに出力される。ここで、各ＤＭＲＳの送信電力に関する情報を制御信号生成部２１０＃１〜２１０＃ｋに出力するのは、データチャネル信号（ＰＤＳＣＨ）に対するＤＭＲＳの送信電力比を通知するためである。
【００６２】
サブキャリアマッピング部２０４においては、送信データ＃１〜＃ｋを、スケジューラ２０１から与えられるスケジュール情報に応じてサブキャリアにマッピングする。このとき、サブキャリアマッピング部２０４は、参照信号電力決定部２０６＃１〜２０６＃ｋから入力された各ＤＭＲＳを、送信データ＃１〜＃ｋと共にサブキャリアにマッピング（多重）する。このようにしてサブキャリアにマッピングされた送信データ＃１〜＃ｋがプリコーディング乗算部２０７＃１〜２０７＃ｋに出力される。
【００６３】
プリコーディング乗算部２０７＃１〜２０７＃ｋは、後述するプリコーディングウェイト生成部２１９から与えられるプリコーディングウェイトに基づいて、送信アンテナＴＸ＃１〜ＴＸ＃Ｎ毎に送信データ＃１〜＃ｋを位相及び／又は振幅シフトする（プリコーディングによる送信アンテナＴＸ＃１〜送信アンテナＴＸ＃Ｎの重み付け）。プリコーディング乗算部２０７＃１〜２０７＃ｋにより位相及び／又は振幅シフトされた送信データ＃１〜＃ｋは、マルチプレクサ（ＭＵＸ）２０８に出力される。
【００６４】
ＤＣＩフォーマット選択部２０９は、識別情報選択手段を構成するものであり、スケジューラ２０１により決定された多重ユーザ数に応じてＤＣＩフォーマットを選択する。この際、多重ユーザ数が単独ユーザである場合には、ＳＵ−ＭＩＭＯ用のＤＣＩフォーマットが選択され、多重ユーザ数が複数ユーザである場合には、ＭＵ−ＭＩＭＯ用のＤＣＩフォーマットが選択される。なお、多重ユーザ数が複数ユーザである場合には、ユーザ毎のＭＵ−ＭＩＭＯ用のＤＣＩフォーマットが選択される。ＳＵ−ＭＩＭＯ用及びＭＵ−ＭＩＭＯ用のＤＣＩフォーマットは、ＤＣＩフォーマットに含まれるフラグインディケータの内容に応じて決められる。すなわち、フラグインディケータの内容を選択することで、ＳＵ−ＭＩＭＯ用又はＭＵ−ＭＩＭＯ用のＤＣＩフォーマットが選択される。ＤＣＩフォーマット選択部２０９により選択されたＤＣＩフォーマットは、制御信号生成部２１０＃１〜２１０＃ｋに出力される。
【００６５】
制御信号生成部２１０＃１〜２１０＃ｋは、制御信号生成手段を構成するものであり、ＤＣＩフォーマット選択部２０９からのＤＣＩフォーマットと、スケジューラ２０１からの多重ユーザ数、参照信号生成部２０５＃１〜２０５＃ｋからの各ＤＭＲＳ及び参照信号電力決定部２０６＃１〜２０６＃ｋからの各ＤＭＲＳの送信電力に関する情報とに基づいて制御信号（ＰＤＣＣＨ）を生成する。生成される制御信号には、同一のビット数を有するＳＵ−ＭＩＭＯ用又はＭＵ−ＭＩＭＯ用のＤＣＩフォーマットが含まれる。ＤＣＩフォーマット選択部２０９によりＭＵ−ＭＩＭＯ用のＤＣＩフォーマットが選択される場合、制御信号生成部２１０＃１〜２１０＃ｋにより、例えば、図８に示すようなＤＣＩフォーマットを含むＰＤＣＣＨが生成される。すなわち、生成される制御信号においては、移動局装置１０当たりの最大ストリーム数及び／又は最大コードワード数に一定の制限が加えられ、ＤＣＩフォーマットに含まれる情報が削減されると共に、当該削減したＤＣＩフィールドにＭＵ−ＭＩＭＯ固有の情報が追加されている。制御信号生成部２１０＃１〜２１０＃ｋにより生成された各ＰＤＣＣＨは、マルチプレクサ（ＭＵＸ）２０８に出力される。
【００６６】
例えば、制御信号生成部２１０＃１〜２１０＃ｋにおいては、スケジューラ２０１から多重ユーザ数の通知を受けることで、制御信号（ＰＤＣＣＨ）におけるＤＭＲＳの密度情報が追加されたＭＵ−ＭＩＭＯ用のＤＣＩフォーマットを含むＰＤＣＣＨを生成することができる。また、参照信号生成部２０５＃１〜２０５＃ｋから各ＤＭＲＳの通知を受けることで、他の移動局装置に割り当てられたＤＭＲＳ情報が追加されたＭＵ−ＭＩＭＯ用のＤＣＩフォーマットを含むＰＤＣＣＨを生成することができる。さらに、参照信号電力決定部２０６＃１〜２０６＃ｋから各ＤＭＲＳの送信電力に関する情報の通知を受けることで、ＰＤＳＣＨに対するＤＭＲＳの送信電力比が追加されたＭＵ−ＭＩＭＯ用のＤＣＩフォーマットを含むＰＤＣＣＨを生成することができる。
【００６７】
マルチプレクサ（ＭＵＸ）２０８においては、位相及び／又は振幅シフトされた送信データ＃１〜＃ｋと、制御信号生成部２１０＃１〜２１０＃ｋにより生成された各ＰＤＣＣＨとを合成し、送信アンテナＴＸ＃１〜ＴＸ＃Ｎ毎の送信信号を生成する。マルチプレクサ（ＭＵＸ）２０８により生成された送信信号は、不図示の逆高速フーリエ変換部にて逆高速フーリエ変換して周波数領域の信号から時間領域の信号に変換された後、ＲＦ送信回路２１１＃１〜２１１＃Ｎへ出力される。そして、ＲＦ送信回路２１１＃１〜２１１＃Ｎで無線周波数帯に変換する周波数変換処理が施された後、デュプレクサ（Ｄｕｐｌｅｘｅｒ）２１２＃１〜２１２＃Ｎを介して送信アンテナＴＸ＃１〜ＴＸ＃Ｎに出力され、送信アンテナＴＸ＃１〜ＴＸ＃Ｎから下りリンクで移動局装置１０に送出される。
【００６８】
一方、移動局装置１０から上りリンクで送出された送信信号は、送信アンテナＴＸ＃１〜ＴＸ＃Ｎにより受信され、デュプレクサ（Ｄｕｐｌｅｘｅｒ）２１２＃１〜２１２＃Ｎにて送信経路と受信経路とに電気的に分離された後、ＲＦ受信回路２１３＃１〜２１３＃Ｎに出力される。そして、ＲＦ受信回路２１３＃１〜２１３＃Ｎにて、無線周波数信号からベースバンド信号に変換する周波数変換処理が施された後、不図示の高速フーリエ変換部（ＦＦＴ部）にてフーリエ変換され、時系列の信号から周波数領域の信号に変換される。これらの周波数領域の信号に変換された受信信号は、データチャネル信号分離部２１４＃１〜２１４＃ｋに出力される。
【００６９】
データチャネル信号分離部２１４＃１〜２１４＃ｋは、ＦＦＴ部から入力された受信信号を、例えば、最尤推定検出（ＭＬＤ：Maximum  Likelihood  Detection）信号分離法により分離する。これにより、移動局装置１０から到来した受信信号は、ユーザ＃１〜ユーザ＃ｋに関する受信信号に分離される。チャネル推定部２１５＃１〜２１５＃ｋは、ＦＦＴ部から出力された受信信号に含まれるリファレンス信号からチャネル状態を推定し、推定したチャネル状態をデータチャネル信号分離部２１４＃１〜２１４＃ｋ及び制御チャネル信号復調部２１６＃１〜２１６＃ｋに通知する。データチャネル信号分離部２１４＃１〜２１４＃ｋにおいては、通知されたチャネル状態に基づいて、受信信号を上述したＭＬＤ信号分離法により分離する。
【００７０】
データチャネル信号分離部２１４＃１〜２１４＃ｋにより分離されたユーザ＃１〜ユーザ＃ｋに関する受信信号は、不図示のサブキャリアデマッピング部にてデマッピングされて時系列の信号に戻された後、不図示のデータ復調部でデータ復調される。そして、チャネル復号部２１７＃１〜２１７＃ｋにてチャネル復号処理が施されることで送信信号＃１〜送信信号＃ｋが再生される。
【００７１】
制御チャネル信号復調部２１６＃１〜２１６＃ｋは、ＦＦＴ部から入力された受信信号に含まれる制御チャネル信号（例えば、ＰＤＣＣＨ）を復調する。この際、制御チャネル信号復調部２１６＃１〜２１６＃ｋは、それぞれユーザ＃１〜ユーザ＃ｋに対応する制御チャネル信号を復調する。この際、制御チャネル信号復調部２１６＃１〜２１６＃ｋにおいては、チャネル推定部２１５＃１〜２１５＃ｋから通知されたチャネル状態に基づいて制御チャネル信号を復調する。制御チャネル信号復調部２１６＃１〜２１６＃ｋにより復調された各制御チャネル信号は、チャネル情報再生部２１８＃１〜２１８＃ｋに出力される。
【００７２】
チャネル情報再生部２１８＃１〜２１８＃ｋは、制御チャネル信号復調部２１６＃１〜２１６＃ｋから入力された各制御チャネル信号（例えば、ＰＵＣＣＨ）に含まれる情報からチャネルに関する情報（チャネル情報）を再生する。チャネル情報には、例えば、ＰＤＣＣＨで通知されるＤＣＩフォーマットに含まれる情報、ＣＱＩやＰＭＩ（Precording  Matrix  Indicator）、ランク情報などの情報が含まれる。チャネル情報再生部２１８＃１〜２１８＃ｋにより再生されたＣＱＩ情報は、それぞれデータ変調部２０３＃１〜２０３＃ｋ、チャネル符号化部２０２＃１〜２０２＃ｋに出力される。チャネル情報再生部２１８＃１〜２１８＃ｋにより再生されたＰＭＩは、プリコーディングウェイト生成部２１９に出力される。
【００７３】
プリコーディングウェイト生成部２１９は、チャネル情報再生部２１８＃１〜２１８＃ｋから入力されたＰＭＩに基づいて、送信データ＃１〜＃ｋに対する位相及び／又は振幅シフト量を示すプリコーディングウェイトを生成する。生成された各プリコーディングウェイトは、プリコーディング乗算部２０７＃１〜２０７＃ｋに出力され、送信データ＃１〜送信データ＃ｋのプリコーディングに利用される。
【００７４】
一方、図１１に示す移動局装置１０において、基地局装置２０から送出された送信信号は、受信アンテナＲＸ＃１〜ＲＸ＃Ｎにより受信され、デュプレクサ（Ｄｕｐｌｅｘｅｒ）１０１＃１〜１０１＃Ｎにて送信経路と受信経路とに電気的に分離された後、ＲＦ受信回路１０２＃１〜１０２＃Ｎに出力される。そして、ＲＦ受信回路１０２＃１〜１０２＃Ｎにて、無線周波数信号からベースバンド信号に変換する周波数変換処理が施された後、不図示の高速フーリエ変換部（ＦＦＴ部）にてフーリエ変換され、時系列の信号から周波数領域の信号に変換される。周波数領域の信号に変換された受信信号は、データチャネル信号復調部１０３に出力される。
【００７５】
データチャネル信号復調部１０３は、復調手段を構成するものであり、ＦＦＴ部から入力された受信信号を、例えば、最尤推定検出（ＭＬＤ：Maximum  Likelihood  Detection）信号分離法により分離する。これにより、基地局装置２０から到来した受信信号は、ユーザ＃１〜ユーザ＃ｋに関する受信信号に分離され、移動局装置１０のユーザ（ここでは、ユーザｋとする）に関する受信信号が抽出される。チャネル推定部１０４は、ＦＦＴ部から出力された受信信号に含まれるリファレンス信号からチャネル状態を推定し、推定したチャネル状態をデータチャネル信号復調部１０３及び後述するチャネル情報測定部１０７に通知する。データチャネル信号復調部１０３においては、通知されたチャネル状態に基づいて、受信信号を上述したＭＬＤ信号分離法により分離する。
【００７６】
ＤＣＩフォーマット検出部１０５は、検出手段を構成するものであり、ＦＦＴ部から出力された制御チャネル信号（ＰＤＣＣＨ）に含まれるＤＣＩフォーマットのブラインド検出を行う。制御チャネル信号に含まれるＤＣＩフォーマットには、ＳＵ−ＭＩＭＯ用又はＭＵ−ＭＩＭＯ用のＤＣＩフォーマットが含まれるが、これらはいずれも同一のビット数で構成されることから、ブラインド検出のサーチ回数を増加させることなくＤＣＩフォーマットを検出することが可能である。そして、ＤＣＩフォーマットに含まれるフラグインディケータの内容に基づいて、当該ＤＣＩフォーマットがＳＵ−ＭＩＭＯ用のＤＣＩフォーマットであるか、ＭＵ−ＭＩＭＯ用のＤＣＩフォーマットであるかを検出すると共に、当該ＤＣＩフォーマットに含まれる情報を検出する。そして、その検出した内容をデータチャネル信号復調部１０３に通知する。
【００７７】
この場合、ＰＤＣＣＨに含まれるＤＣＩフォーマットは、ＳＵ−ＭＩＭＯ用のＤＣＩフォーマットと、ＭＵ−ＭＩＭＯ用のＤＣＩフォーマットとでビット数が同一に設定されていることから、ブラインド検出のサーチ回数を増やすことなく当該ＤＣＩフォーマットの情報を復号することができるものとなっている。また、ＤＣＩフォーマットには、ＳＵ−ＭＩＭＯ又はＭＵ−ＭＩＭＯを識別するためのフラグインディケータが含まれることから、ＳＵ−ＭＩＭＯ用及びＭＵ−ＭＩＭＯ用のＤＣＩフォーマットを識別することができるものとなっている。
【００７８】
データチャネル信号復調部１０３においては、ＤＣＩフォーマット検出部１０５からの通知内容に基づいて、抽出されたユーザｋに関する受信信号を復調する。なお、データチャネル信号復調部１０３による復調処理に先だって、抽出されたユーザｋに関する受信信号は、不図示のサブキャリアデマッピング部にてデマッピングされて時系列の信号に戻されているものとする。データチャネル信号復調部１０３で復調されたユーザｋに関する受信信号は、チャネル復号部１０６に出力される。そして、チャネル復号部１０６にてチャネル復号処理が施されることで送信信号＃ｋが再生される。
【００７９】
例えば、ＤＣＩフォーマット検出部１０５でＭＵ−ＭＩＭＯ用のＤＣＩフォーマットが検出された場合であって、当該ＤＣＩフォーマットにＤＭＲＳの密度情報が含まれる場合には、データチャネル信号復調部１０３は、ＤＭＲＳの密度情報に応じてデータチャネル信号（ＰＤＳＣＨ）のパンクチャ処理の状況を認識することができる。このパンクチャ処理の状況に基づいてデータチャネル信号を復調することにより、移動局装置１０のユーザのＤＭＲＳと、他の移動局装置のデータチャネル信号の衝突を回避することができ、チャネル推定精度を改善することが可能となる。
【００８０】
また、ＤＣＩフォーマット検出部１０５でＭＵ−ＭＩＭＯ用のＤＣＩフォーマットが検出された場合であって、当該ＤＣＩフォーマットに他の移動局装置に割り当てられたＤＭＲＳ情報が含まれる場合には、データチャネル信号復調部１０３は、他の移動局装置のＤＭＲＳ情報を認識することができる。このため、他の移動局装置に割り当てられたＤＭＲＳ情報に応じて当該他の移動局装置に対するデータチャネル信号をキャンセルすることができるので、他の移動局装置に対するデータチャネル信号との干渉を抑制することが可能となる。
【００８１】
さらに、ＤＣＩフォーマット検出部１０５でＭＵ−ＭＩＭＯ用のＤＣＩフォーマットが検出された場合であって、当該ＤＣＩフォーマットにデータチャネル信号（ＰＤＳＣＨ）とＤＭＲＳとの送信電力比が含まれる場合には、データチャネル信号復調部１０３は、データチャネル信号に対するＤＭＲＳの送信電力比を認識することができる。このため、基地局装置２０にてＤＭＲＳの送信電力を増幅した場合においても、移動局装置１０でＤＭＲＳとＰＤＳＣＨの送信電力比を把握してデータチャネルの復調をすることができるので、ＤＭＲＳの送信電力を有効に活用することができ、移動局装置１０におけるチャネル推定精度を改善することが可能となる。
【００８２】
チャネル情報測定部１０７は、チャネル推定部１０４から通知されたチャネル状態からチャネル情報を測定する。具体的には、チャネル情報測定部１０７は、チャネル推定部１０４から通知されたチャネル状態に基づいてＣＱＩを測定すると共に、これに応じたＰＭＩを選択し、これらをフィードバック制御信号生成部１０８に通知する。
【００８３】
フィードバック制御信号生成部１０８においては、通知されたＰＭＩ及びＣＱＩに基づいて、これらを基地局装置２０にフィードバックする制御信号（例えば、ＰＵＣＣＨ）が生成される。この場合、フィードバックする制御信号には、上位レイヤ信号（ＲＲＣ信号）に含まれる制御信号（コードブックサブセットリストリクション）に基づくフィードバック情報が含まれている。例えば、上記方法１〜方法４のように、移動局装置１０当たりの最大ストリーム数及び／又は最大コードワード数に一定の制限が加えられたフィードバック情報を含む制御信号が生成される。フィードバック制御信号生成部１０８で生成された制御信号は、マルチプレクサ（ＭＵＸ）１０９に出力される。
【００８４】
上位レイヤから送出されたユーザ＃ｋに関する送信データ＃ｋは、チャネル符号化部１１０によりチャネル符号化された後、データ変調部１１１にてデータ変調される。データ変調部１１１にてデータ変調された送信データ＃ｋは、不図示の離散フーリエ変換部で逆フーリエ変換され、時系列の信号から周波数領域の信号に変換されてサブキャリアマッピング部１１２に出力される。
【００８５】
サブキャリアマッピング部１１２においては、送信データ＃ｋを、基地局装置２０から指示されたスケジュール情報に応じてサブキャリアにマッピングする。このとき、サブキャリアマッピング部１１２は、不図示の参照信号生成部により生成された参照信号＃ｋを、送信データ＃ｋと共にサブキャリアにマッピング（多重）する。このようにしてサブキャリアにマッピングされた送信データ＃ｋがプリコーディング乗算部１１３に出力される。
【００８６】
プリコーディング乗算部１１３は、チャネル情報測定部１０７で選択されたＰＭＩに対応するプリコーディングウェイトに基づいて、受信アンテナＲＸ＃１〜ＲＸ＃Ｎ毎に送信データ＃ｋを位相及び／又は振幅シフトする。プリコーディング乗算部１１３により位相及び／又は振幅シフトされた送信データ＃ｋは、マルチプレクサ（ＭＵＸ）１０９に出力される。
【００８７】
マルチプレクサ（ＭＵＸ）１０９においては、位相及び／又は振幅シフトされた送信データ＃ｋと、フィードバック制御信号生成部１０８により生成された制御信号とを合成し、受信アンテナＲＸ＃１〜ＲＸ＃Ｎ毎の送信信号を生成する。マルチプレクサ（ＭＵＸ）１０９により生成された送信信号は、不図示の逆高速フーリエ変換部にて逆高速フーリエ変換して周波数領域の信号から時間領域の信号に変換された後、ＲＦ送信回路１１４＃１〜１１４＃Ｎへ出力される。そして、ＲＦ送信回路１１４＃１〜１１４＃Ｎで無線周波数帯に変換する周波数変換処理が施された後、デュプレクサ（Ｄｕｐｌｅｘｅｒ）１０１＃１〜１０１＃Ｎを介して受信アンテナＲＸ＃１〜ＲＸ＃Ｎに出力され、受信アンテナＲＸ＃１〜ＲＸ＃Ｎから上りリンクで基地局装置２０に送出される。
【００８８】
本実施の形態に係る移動通信システム１において、基地局装置２０から移動局装置１０に送信される制御信号（ＰＤＣＣＨ）には、同一のビット数を有するＳＵ−ＭＩＭＯ用又はＭＵ−ＭＩＭＯ用のＤＣＩフォーマットを含めている。このように制御信号に含まれるＳＵ−ＭＩＭＯ用又はＭＵ−ＭＩＭＯ用のＤＣＩフォーマットを同一のビット数に設定していることから、移動局装置１０のＤＣＩフォーマット検出部１０５におけるブラインド検出のサーチ回数を増やすことなく当該ＤＣＩフォーマットの情報を検出することができるものとなっている。
【００８９】
そして、ＤＣＩフォーマット検出部１０５により検出されたＤＣＩフォーマットには、ＳＵ−ＭＩＭＯ用のＤＣＩフォーマットとＭＵ−ＭＩＭＯ用のＤＣＩフォーマットとを識別する識別情報（フラグインディケータ）が含まれることから、ＳＵ−ＭＩＭＯ用及びＭＵ−ＭＩＭＯ用のＤＣＩフォーマットを確実に識別することができるので、このフラグインディケータの内容に応じてＳＵ−ＭＩＭＯとＭＵ−ＭＩＭＯとを動的に切り替えることができるものとなっている。
【００９０】
また、本実施の形態に係る移動通信システム１においては、ＭＵ−ＭＩＭＯ伝送を行う場合における移動局装置１０当たりの最大ストリーム数及び／又は最大コードワード数に一定の制限を加えることで、ＭＵ−ＭＩＭＯ用のＤＣＩフォーマットに含まれる情報の削減している。具体的には、上記方法１〜方法４のいずれかにより移動局装置１０当たりの最大ストリーム数及び／又は最大コードワード数を制限している。例えば、方法１によって移動局装置１０当たりの最大ストリーム数を２ストリームに制限する場合には、ＤＣＩフォーマットにおける送信ストリーム数を示すランク情報を削減することができる。これにより、ランク情報が削減されたＤＣＩフィールドにＭＵ−ＭＩＭＯ固有の情報を追加することが可能となる。
【００９１】
さらに、本実施の形態に係る移動通信システム１においては、ＭＵ−ＭＩＭＯ用のＤＣＩフォーマットに含まれる情報を削減したＤＣＩフィールドに対し、ＤＭＲＳの密度情報、通信対象となる移動局装置１０以外の移動局装置（他の移動局装置）に割り当てられたＤＭＲＳ情報、並びに、データチャネル信号（ＰＤＳＣＨ）とＤＭＲＳとの送信電力比の少なくとも１つを追加可能としている。これにより、ＭＵ−ＭＩＭＯ用のＤＣＩフォーマットのビット数を増大させることなく、移動局装置１０におけるチャネル推定精度の改善や他の移動局装置との間に発生する干渉を抑制することが可能となる。
【００９２】
例えば、ＤＭＲＳの密度情報を追加した場合には、移動局装置１０において、ＤＭＲＳの密度情報に応じてデータチャネル信号（ＰＤＳＣＨ）のパンクチャ処理の状況を認識することができる。そして、その認識結果から適切に送信データを復調することにより、移動局装置１０のＤＭＲＳと、他の移動局装置のＰＤＳＣＨの衝突を回避することができ、移動局装置１０におけるチャネル推定精度を改善することが可能となる。また、他の移動局装置に割り当てられたＤＭＲＳ情報を追加した場合には、他の移動局装置に割り当てられたＤＭＲＳ情報に応じて他の移動局装置に対する送信データ（データチャネル信号）をキャンセルすることができるので、他の移動局装置に対する送信データとの干渉を抑制することが可能となる。さらに、データチャネル信号（ＰＤＳＣＨ）とＤＭＲＳとの送信電力比を追加した場合には、基地局装置２０にてＤＭＲＳの送信電力を増幅した場合においても、移動局装置１０でＤＭＲＳとＰＤＳＣＨの送信電力比を把握してデータチャネルの復調をすることができるので、ＤＭＲＳの送信電力を有効に活用することができ、移動局装置１０におけるチャネル推定精度を改善することが可能となる。
【００９３】
なお、以上の説明においては、ＳＵ−ＭＩＭＯ又はＭＵ−ＭＩＭＯを識別するために、ＤＣＩフォーマットの一部のＤＣＩフィールドにフラグインディケータが追加された場合の態様について説明している。これに対し、ＤＣＩフォーマットのＤＣＩフィールドの一部を、ＳＵ−ＭＩＭＯ又はＭＵ−ＭＩＭＯを識別するための異なるユーザ識別子（ＵＥ−ＩＤ）によりマスキングする場合には、基地局装置２０のＤＣＩ選択部２０９でＣＲＣ符号にマスキングするユーザ識別子（ＳＵ−ＭＩＭＯ用又はＭＵ−ＭＩＭＯ用のユーザ識別子）を選択することでＳＵ−ＭＩＭＯ用又はＭＵ−ＭＩＭＯ用のＤＣＩフォーマットが選択される。一方、移動局装置１０のＤＣＩフォーマット検出部１０５でユーザ識別子（ＳＵ−ＭＩＭＯ用又はＭＵ−ＭＩＭＯ用のユーザ識別子）を用いてＣＲＣ符号を復元することで、ＳＵ−ＭＩＭＯ用又はＭＵ−ＭＩＭＯ用のＤＣＩフォーマットが検出される。これらのようにＤＣＩフォーマットの選択及び検出に関する構成要素の処理を変更することで実現することが可能である。
【００９４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９５】
１  移動通信システム
１０  移動局装置
１０１  デュプレクサ（Ｄｕｐｌｅｘｅｒ）
１０２  ＲＦ受信回路
１０３  データチャネル信号復調部
１０４  チャネル推定部
１０５  ＤＣＩフォーマット検出部
１０６  チャネル復号部
１０７  チャネル情報測定部
１０８  フィードバック制御信号生成部
１０９  マルチプレクサ（ＭＵＸ）
１１０  チャネル符号化部
１１１  データ変調部
１１２  サブキャリアマッピング部
１１３  プリコーディング乗算部
１１４  ＲＦ送信回路
２０  基地局装置
２０１  スケジューラ
２０２  チャネル符号化部
２０３  データ変調部
２０４  サブキャリアマッピング部
２０５  参照信号生成部
２０６  参照信号電力決定部
２０７  プリコーディング乗算部
２０８  マルチプレクサ（ＭＵＸ）
２０９  ＤＣＩフォーマット選択部
２１０  制御信号生成部
２１１  ＲＦ送信回路
２１２  デュプレクサ（Ｄｕｐｌｅｘｅｒ）
３０  上位局装置
４０  コアネットワーク
【図１】
2011142454.tif 000003
【図２】
2011142454.tif 000004
【図３】
2011142454.tif 000005
【図４】
2011142454.tif 000006
【図５】
2011142454.tif 000007
【図６】
2011142454.tif 000008
【図７】
2011142454.tif 000009
【図８】
2011142454.tif 000010
【図９】
2011142454.tif 000011
【図１０】
2011142454.tif 000012
【図１１】
2011142454.tif 000013